(57)【要約】【課題】専用のスイッチを設けることなく、電源コネクタをコンセントから引き抜いた後プッシュスイッチ押すことで、短時間で平滑コンデンサに蓄積された電荷を放電させること。【解決手段】  商用電源から直流電圧を生成して電源電圧とする変換手段と、変換手段からの電源電圧を複数の電源電圧に変換し、変換手段からの電源電圧を放電させる放電手段と、変換手段からの電源電圧で作動し、プッシュスイッチが押されると一定時間だけ変換手段からの電源電圧を放電手段で放電させる第一の制御手段と、を備える。【選択図】図２
2017005545.tif 000002
【特許請求の範囲】
【請求項１】
商用電源から直流電圧を生成して電源電圧とする変換手段と、
前記変換手段からの電源電圧を放電させる放電手段と、
前記変換手段からの電源電圧で作動し、プッシュスイッチが押されると一定時間だけ前記変換手段からの電源電圧を前記放電手段で放電させる第一の制御手段と、
を備えたことを特徴とする情報処理装置。
【請求項２】
前記商用電源の遮断後、前記変換手段の平滑コンデンサからの電源電圧が落ちきるまで前記放電手段の作動を保持する保持手段を備えたことを特徴とする請求項１記載の情報処理装置。
【請求項３】
装置本体が起動したことを前記第一の制御手段に通知する第二の制御手段を備えたことを特徴とする請求項１記載の情報処理装置。
【請求項４】
前記装置本体が起動した場合であっても前記第二の制御手段から前記第一の制御手段への通知が一定時間経過してもない場合、前記第一の制御手段は、前記放電手段の放電を停止させることを特徴とする請求項３記載の情報処理装置。
【請求項５】
前記変換手段の電源電圧を検知するための発光手段を有することを特徴とする請求項１から４のいずれかに記載の情報処理装置。
【請求項６】
前記発光手段を前記プッシュスイッチの近傍に設けたことを特徴とする請求項５記載の情報処理装置。
【発明の詳細な説明】
【技術分野】
【０００１】
本発明は、情報処理装置に関する。
【背景技術】
【０００２】
現在のMFP(Multifunction Peripheral)/プリンタでは、DC(Direct Current)スイッチによる電源制御等を実現するためにAC(Alternating Current)ケーブルを挿入した時点で電源がマイクロコンピュータ（以下、マイコン）等に供給されるシステムになっている。ここで、DCスイッチは、リレー、電界効果トランジスタ（FET）、もしくはロッカースイッチが挙げられる。
このシステムでは、DCスイッチによる電源オフ後にACケーブルを抜いても、電源の平滑コンデンサに蓄積された電荷が長時間にわたって残っている。
【０００３】
メンテナンス作業や修理作業等でプリント基板（PCB：Print Circuit Board）の挿抜を行う際において、平滑コンデンサに充電された電荷による活線挿抜によって、挿抜するプリント基板の電子素子が破壊されることを防止すべく平滑コンデンサを放電する必要がある。
【０００４】
しかし、先に説明したような平滑コンデンサを含む常夜電源を備えたプリンタにおいては、即座且つ自動的に平滑コンデンサの電荷を放電させるわけにはいかず、サービスマンは平滑コンデンサの電荷を放電する為に長時間待たされることになる。
【０００５】
これに対し、修理やメンテナンス等でプリント基板を交換する際に、DCスイッチとは別に設けられた放電スイッチを押すことで平滑コンデンサに充電された電荷を短時間で放電させる技術が提案されている。
しかし、今までのシステムでは、放電のために専用のスイッチを設ける必要があり、コストアップやスイッチの配置を基板毎にサービスマンが覚えなくてはいけないという問題があった。
【０００６】
このため、種々の提案がなされている（例えば、特許文献１〜３参照。）。
特許文献１には、コンデンサにチャージした電荷の放電により発光するフラッシュランプと、電源がオフになったことを検出するパワーオフ検出回路と、パワーオフを検出すると強制的にコンデンサを放電させるフラッシュランプ用電源が開示されている。
【０００７】
特許文献２には、保護カバーと、保護カバーの設置状態を検出するスイッチを含む緊急放電回路とを備え、カバーが取り外されていることを検出すると、コンデンサに蓄えられた電荷を放電する画像形成装置が開示されている。
【０００８】
特許文献３には、プリント基板交換の際にすぐに電荷を抜くことを目的で、交換する際に放電可能なスイッチを設けるという発明が開示されている。
【発明の概要】
【発明が解決しようとする課題】
【０００９】
しかしながら、特許文献１〜３の技術では、放電のためにスイッチを別途設ける必要があるという問題は解消できていない。
【００１０】
そこで、本発明は、専用のスイッチを設けることなく、電源コネクタをコンセントから引き抜いた後プッシュスイッチ押すことで、短時間で平滑コンデンサに蓄積された電荷を放電させることを目的とする。
【課題を解決するための手段】
【００１１】
上記課題を解決するため、請求項１に記載の発明は、商用電源から直流電圧を生成して電源電圧とする変換手段と、前記変換手段からの電源電圧を放電させる放電手段と、前記変換手段からの電源電圧で作動し、プッシュスイッチが押されると一定時間だけ前記変換手段からの電源電圧を前記放電手段で放電させる第一の制御手段と、を備えたことを特徴とする。
【発明の効果】
【００１２】
本発明によれば、専用のスイッチを設けることなく、電源コネクタをコンセントから引き抜いた後プッシュスイッチを押すことで、短時間で平滑コンデンサに蓄積された電荷を放電させることができる。
【図面の簡単な説明】
【００１３】
【図１】本発明の前提となった情報処理装置の電源供給部の構成について説明する図である。
【図２】本発明の一実施の形態としての情報処理装置の電源供給部の構成についての説明図である。
【図３】図２に示した情報処理装置の電源供給部の起動時のフローについての説明図である。
【図４】本発明の他の実施の形態としての情報処理装置の電源供給部の構成についての説明図である。
【図５】本発明の他の実施の形態としての情報処理装置の電源供給部の構成についての説明図である。
【図６】本発明の他の実施の形態としての情報処理装置の電源供給部の構成についての説明図である。
【図７】図２〜図６に示した電源供給部を用いた情報処理装置のハードウェアブロック図の一例である。
【図８】図７に示したハードウェアブロック図に対応する機能ブロック図の一例である。
【発明を実施するための形態】
【００１４】
＜本発明の前提となった発明＞
図１は、本発明の前提となった情報処理装置の電源供給部の構成について説明する図である。
図１に示す電源Aは情報処理装置全体へ電源を供給する電源であり、電源BはACケーブル挿入時に供給される電源である。
電源Aは、複数の供給先（CTL：コントローラ、FAX：ファクシミリ装置、操作部、…）に供給するための電源であり、複数の電圧系統（5V,3.3V,1.0V）の電源ラインで接続される電源である。
【００１５】
商用電源としてのAC（Alternating Current）電源がAC/DCコンバータ20で所定の直流電圧を発生して電源Bとなる。電源Bは電源制御スイッチ22に入力される。電源Bは、第一の制御手段としてのマイクロコンピュータ（以下、マイコンと標記）30の電源でもあり、マイコン30からの制御信号により電源制御スイッチ22がオンオフされる。電源制御スイッチ22がオンのとき電源制御スイッチ22からの出力電圧が電源Aとなる。マイコン30には一端が接地されたプッシュスイッチ18の他端が接続されている。
【００１６】
プッシュスイッチ18は、オルタネイト動作型（位置保持型、プッシュオン・プッシュオフ型）ではなく、モーメンタリ動作型（ボタンを押している間だけオン状態になり、ボタンから手を離すと復帰（オフ状態に戻る）する動作方式で、自己復帰タイプとも言う。）である。
【００１７】
情報処理装置は、プッシュスイッチ18がユーザーに押される等の電源オン要求があると、電源制御スイッチ22をオンにして、電源Bから電源Aを生成する。
電源オフの際にはマイコン30がプッシュスイッチ18を押される等の電源オフ要求があると、電源Aの供給をオフにして、電源Aの供給を遮断する。この時、電源Bは供給されたままである。
【００１８】
次に、ACケーブルのACプラグがユーザーによってコンセントから引き抜かれると、AC/DCコンバータ20内にある平滑回路用の数十μFの大容量の平滑コンデンサ、特に電解コンデンサによって、電源Bは供給を続ける。この状態では消費電力が小さい、すなわち負荷が小さいため、AC/DCコンバータ20内にある電解コンデンサが放電されるには時間がかかる。
AC/DCコンバータ20の電解コンデンサに電荷が残っている状態で電源オンをすると、AC/DCコンバータ20内の電荷が無くなるまで、電源Aを供給することになり、情報処理装置の装置本体は起動しようとする。
この際、NAND型フラッシュメモリへの書き込みや操作部のLCD（Liquid Crystal Display：液晶表示素子）の電源オンまでの時間動作してしまうと、NAND型フラッシュメモリの破壊やLCDの破壊のおそれがある。
【００１９】
＜実施形態１＞
[概要]
本発明の実施の形態を説明する。本発明は、ACケーブルのACコネクタをコンセントから引き抜いた後に、プッシュスイッチを押すと、残留電荷を放電する回路が働く情報処理装置に際して、以下の特徴を有する。
【００２０】
要するに、情報処理装置のACコネクタがコンセントから引き抜かれて、平滑回路の電解コンデンサに残留電荷が残っている状態でプッシュスイッチを押すと、放電回路が働き、情報処理装置が動作する前に残留電荷を放電することを特徴とする。
上記記載の本発明の特徴について、以下の図面を用いて詳細に解説する。
【００２１】
[構成]
図２は、本発明の一実施の形態としての情報処理装置の電源供給部の構成についての説明図である。
図２に示した回路は、図１に示した回路に放電手段であり、放電回路53としてのFETを追加したものである。放電回路53は、変換手段としてのAC/DCコンバータ20からの電源Bを、ドレイン抵抗52を介して一定時間放電させるための回路である。電源制御スイッチ22は、変換手段としてのAC/DCコンバータ20からの電源電圧を複数の電源電圧に変換し、制御手段としてのマイコン30によりオンオフ制御されるスイッチである。
【００２２】
マイコン30からの指示によりドレイン抵抗52を通して、AC/DCコンバータ20の電源Bを放電することができる。
AC/DCコンバータ20に商用電源としてのAC電圧が供給されると、マイコン30が作動する。
マイコン30は電源制御スイッチ22をオンにしてから一定時間後、FETのゲートにロウレベル（閾値電圧以下）の電圧を入力してFETをオフにし、電源の放電を停止する。
【００２３】
[動作]
図３は、図２に示した情報処理装置の電源供給部の起動時のフローについての説明図である。
電源Aがオンする時のフローの説明をする。
ユーザーによってプッシュスイッチ18が押されると（S1）、プッシュスイッチ18が押されたことをマイコン30が検知する（S2）。
マイコン30は電源制御スイッチ22をオンして、電源Aを各部に供給する（S3）。同時にマイコン30は放電回路53のFETをオンすることで放電が開始される（S4）。
情報処理装置に電源Aが供給されると、コントローラ（Controller）、パネル（Panel）、プロッタ（Plotter）、スキャナ（Scanner）及びファクシミリ装置（FAX）等の装置本体が起動し、動作状態に移行する。一定時間経過後、マイコン30は放電回路53のFETをオフにし、放電が停止される（S5）。
【００２４】
＜実施形態２＞
[構成]
図４は、本発明の他の実施の形態としての情報処理装置の電源供給部の構成についての説明図である。
図４に示した回路の図２に示した回路との相違点は、放電回路53としてのトランジスタであるFETの入力端としてのゲートに、コンデンサ55及び抵抗56からなる保持手段としての積分回路を挿入した点である。
【００２５】
保持手段は、商用電源としてのAC電源の遮断後、変換手段としてのAC/DCコンバータ20の平滑コンデンサからの電源電圧が落ちきるまで放電回路53のFETの作動を保持する手段であり、CR時定数回路とも言う。
積分回路は、入力電圧の波形の時間積分に等しい波形の電圧を出力する回路である。コンデンサ55の両端の電圧は、流れ込んだ電流の積分（＝電荷の総量）に比例する。マイコン30の電源Bの電圧は時間の経過と共に低下するが、積分回路を通すことにより、低下の度合いが緩やかになる。実施形態２はこの原理を利用したものである。
【００２６】
[動作]
情報処理装置のACケーブルのACコネクタがコンセントから抜かれることでAC電源が遮断された後、プッシュスイッチ18が押されると、マイコン30は電源制御スイッチ22と放電回路53とをオンする。
【００２７】
ここで、図３に示した構成の場合、電源Bが落ちるために、放電回路53のFETの閾値電圧を下回った場合にオン状態を維持することができなくなってしまう。
このため、放電を維持するために、例えばコンデンサCと抵抗Rとで積分回路を追加し、放電を維持することができる。
【００２８】
＜実施形態３＞
[構成]
図５は、本発明の他の実施の形態としての情報処理装置の電源供給部の構成についての説明図である。
図５に示した回路の図４に示した回路との相違点は、CPU44がマイコン30に通知するための通知手段を設けた点である。
【００２９】
[動作]
図２〜図４に示した回路は、マイコン30は一定時間経過したらオフするように構成されているが、それではAC/DCコンバータ20の平滑回路の電解コンデンサの容量や負荷側の容量等で毎回設計する必要が出てしまう。
このため、図５に示した回路は、CPU44がマイコン30に起動したことを通知し、その通知を受けて放電回路53のオン動作を停止するものである。
【００３０】
＜実施形態４＞
[構成]
回路構成は図５と同様である。
【００３１】
[動作]
CPU44から所定の時間が経過しても通知が来ない場合に、放電回路53の放電を停止させるものである。
CPU44が起動に失敗した場合、永久に放電回路53は放電を続けることになる。このため、例えば10分間起動が確認できなかった場合、放電回路53の放電動作を放電回路中に予め設けたスイッチにより強制的に停止させることで、放電し続けることで電力を無駄に消費し続けることを防止できる。
【００３２】
＜実施形態５＞
[構成]
図６は、本発明の他の実施の形態としての情報処理装置の電源供給部の構成についての説明図である。
図６に示した回路の図５に示した回路との相違点は、電源Bを検知するための発光手段としてのLED（light-emitting diode）67を設けた点である。
【００３３】
[動作]
電源Bを検知するためのLEDを設けて点灯もしくは消灯させる。これにより、サービスマンは放電されたか否かの最終判断をLEDの点灯もしくは消灯を目視することで実施できる。
【００３４】
＜実施形態６＞
[構成]
回路構成は、図６と同様である。
但し、発光手段としてのLEDをプッシュスイッチ18の近傍に設けるのが好ましい。確認しやすいためである。
【００３５】
[動作]
オプション等を増設する場合は、板金からなる筐体を開けないこともある。この場合に、板金からなる筐体を開けなくても目視できる配置にあると、オプション増設時における筐体を開ける工数を削減できる。
【００３６】
図７は、図２〜図６に示した電源供給部を用いた情報処理装置のハードウェアブロック図の一例である。図８は、図７に示したハードウェアブロック図に対応する機能ブロック図の一例である。
【００３７】
＜情報処理装置＞
図７に示す情報処理装置は、実施の形態に係る情報処理装置１の概要を例示する構成図である。情報処理装置１は、電源部２、電力制御部３、コントローラ４、パネル10、プロッタ12、スキャナ14、ファックス16及びプッシュスイッチ18を有する。
【００３８】
パネル10は、情報処理装置１に関する情報を表示する。プロッタ12は、情報処理装置１が形成する画像を用紙などに出力する。スキャナ14は、画像を読取る。ファックス16は、外部機器との間でファクシミリによる通信を行う。つまり、パネル10、プロッタ12、スキャナ14及びファックス16は、処理を行う処理部となっている。プッシュスイッチ18は、例えばユーザーによって押されると、後述するマイコン30及びCPU44に対してプッシュスイッチ18が押されたことを示すパルスを出力する。
【００３９】
電源部２は、AC/DCコンバータ20、電源制御スイッチ22、電源A（28a）及び電源B（28b）を有する。AC/DCコンバータ20は、AC電源用の電源コネクタ200を介して供給される交流電圧（AC電源）を直流電圧に変換し、電源A（28a）及び電源B（28b）に直流電圧を印加する。電源制御スイッチ22は、電力制御部３の制御に応じて電源A（28a）をオン又はオフに切替える。
【００４０】
電源A（28a）は、コントローラ４、パネル10、プロッタ12、スキャナ14及びファックス16に直流電圧を印加する。電源B（28b）は、電力制御部３に直流電圧を印加する。
【００４１】
電力制御部３は、マイコン30を有する。マイコン30は、CPU等のプロセッサ、RAM、RST、GPIO（General Purpose Input Output）、コントローラインターフェイス（IF）及び不揮発性メモリを集積した集積回路である。なお、マイコン30は、不揮発性メモリ（記憶部）等の集積した各部がチップ外に設けられる構成であってもよい。
【００４２】
コントローラ４は、RAM、ROM及びCPUを有する。マイコン30及びCPUは、１チップ内に含まれていてもよい。
【００４３】
ネットワークIF442は、外部のPC100等とネットワークを介して通信を行う通信部である。
【００４４】
マイコン30は、GPIO36によってプッシュスイッチ18が押されたことを検出するが、CPU44のGPIO449もプッシュスイッチ18が押されたことを検出する。プッシュスイッチ18は、情報処理装置１の主電源である電源A（28a）のオンオフを切替えるためにユーザーに押される。
【００４５】
図８に示す変換手段60は、図７に示すAC/DCコンバータ20によって実現される。図８に示す給電切り替え手段61は、図7に示す電源制御スイッチ22によって実現される。図８に示す放電手段62は、図７に示す放電回路53、プルアップ抵抗51、ドレイン抵抗52、入力抵抗54及びコンデンサ55によって実現される。図８に示す計時手段63は、図７に示すタイマーIC（例えば、NE555）300によって実現される。図８に示す通知手段64は、図７に示すCPU44によって実現される。図８に示す第二の制御手段65は、CPU44によって実現される。図８に示す第一の制御手段66は、図７に示すマイコン30によって実現される。図８に示す操作表示手段68は、図７に示すパネル（タッチパネルを含む）10によって実現される。図８に示す記憶手段69は、図７に示すRAM40、ROM42によって実現される。図８に示す読取手段70は、図７に示すスキャナ14によって実現される。図８に示す印刷手段71は、図７に示すプロッタ12によって実現される。図８に示す通信手段72は、図７に示すネットワークIF442によって実現される。
【００４６】
＜作用効果＞
以上より、本実施形態によれば、電源オン時に一定時間放電する回路を設けることで、ACケーブルのACコネクタがユーザーによりコンセントから引き抜かれた際に、プッシュスイッチを押すことで残留電荷を放電することができる。これにより、ACコネクタをコンセントから引き抜いた後に、既存の電源オンスイッチであるプッシュスイッチを押すことで、放電させることができ、特別な設定をする必要がない。
【００４７】
すなわち、本実施形態によれば、専用のスイッチを設けることなく、電源コネクタをコンセントから引き抜いた後、プッシュスイッチ押すことで、短時間でAC/DCコンバータの平滑コンデンサに蓄積された電荷を放電させることができる。
【００４８】
尚、上述した実施の形態は、本発明の好適な実施の形態の一例を示すものであり、本発明はそれに限定されることなく、その要旨を逸脱しない範囲内において、種々変形実施が可能である。例えば、上述した実施の形態では放電回路にFETを用いた場合で説明したが、本発明は、これに限定されるものではなく、バイポーラトランジスタで構成してもよい。
【符号の説明】
【００４９】
１    情報処理装置
３    電力制御部
４    コントローラ
１０    パネル
１２    プロッタ
１４    スキャナ
１６    ファックス
１８    プッシュスイッチ
２０    ＡＣ／ＤＣコンバータ
２２    電源制御スイッチ
２８ａ    電源Ａ
２８ｂ    電源Ｂ
３０    マイコン
３６、４４９    ＧＰＩＯ
４０    ＲＡＭ
４２    ＲＯＭ
４４    ＣＰＵ
５３    放電回路
６０    変換手段
６１    給電切り替え手段
６２    放電手段
６３    計時手段
６４    通知手段
６５    第二の制御手段
６６    第一の制御手段
６７    ＬＥＤ（発光手段）
６８    操作表示手段
６９    記憶手段
７０    読取手段
７１    印刷手段
７２    通信手段
１００    ＰＣ
２００    電源コネクタ
３００    タイマーＩＣ
４４２    ネットワークＩＦ
【先行技術文献】
【特許文献】
【００５０】
【特許文献１】特開昭６１−０３２４００号公報
【特許文献２】特開平０７−３３３７５１号公報
【特許文献３】特開２０１３−００９４２号公報
【図１】
2017005545.tif 000003
【図２】
2017005545.tif 000004
【図３】
2017005545.tif 000005
【図４】
2017005545.tif 000006
【図５】
2017005545.tif 000007
【図６】
2017005545.tif 000008
【図７】
2017005545.tif 000009
【図８】
2017005545.tif 000010